(57)【要約】【課題】本発明は、結露する虞れが全くない配線スペースを確保して、信頼性の向上を図れるとともに、組立て工数および部品点数の低減を得られ、製造コストへの悪影響を除去した空気調和機の室内機を提供する。【解決手段】金属板からなるハウジング２１と、この内面に組み込まれる発泡スチロール材からなる断熱材２２とで室内機本体２０を構成し、この内部に熱交換器２４、送風機２３、熱交換器に取付けられる温度センサ等の電気部品Ｄを収容し、電気部品と電気部品箱２７内の制御回路２８を配線類Ｓを介して接続し、熱交換器の下部側で断熱材の内側に発泡スチロール材からなるドレンパン２５を嵌め込み固定し、このドレンパンと断熱材との合わせ面に配線類を収容する溝部３３を設けた。【選択図】　　図５
2004085003.tif 000002
【特許請求の範囲】
【請求項１】
金属板からなる筐体および、この筐体の内面に組み込まれる発泡合成樹脂材からなる断熱材とで構成され、被空調室の天井板開口部に嵌め込まれて天井裏に取付け固定される室内機本体と、
この室内機本体内部に収容される熱交換器、送風機および上記熱交換器に取付けられる温度センサ等の電気部品と、
その内部に、上記温度センサ等の電気部品と配線類を介して電気的に接続される制御回路を収容する電気部品箱と、
上記熱交換器の下部側に設けられるとともに、上記断熱材の内面に嵌め込み固定され、熱交換器の熱交換作用にともなって生成されるドレン水を集溜する、発泡合成樹脂材からなるドレンパンと、
このドレンパンと上記断熱材との合わせ面に設けられ、上記配線類を挿通するスペースを形成する溝部と
を具備したことを特徴とする空気調和機の室内機。
【請求項２】
上記溝部近傍の断熱材部位に、上記ドレンパンを断熱材に嵌め込む際に配線類を仮止めするための仮止め用溝が設けられることを特徴とする請求項１記載の空気調和機の室内機。
【発明の詳細な説明】
【０００１】
【発明の属する技術分野】
本発明は、天井埋込み型の空気調和機の室内機に係り、特に、熱交換器に取付けられる温度センサ等の電気部品と電気部品箱内に収容される制御回路とを電気的に接続する配線類の処理構造に関する。
【０００２】
【従来の技術】
空気調和機の室内機として、店舗などの広い空間を空調する場合には、壁面に取付けられる、いわゆる壁掛け形ではなく、複数の方向に空調風を吹出すことができ、かつ居住者が受ける圧迫感の少ない天井埋込み型とした室内機が多用される傾向にある。
この種の室内機の室内機本体は、下面が開口され金属薄板からなる筐体の内面に、たとえば発泡スチロール材からなる断熱材が組み込まれてなり、天井裏に吊持される。室内機本体の下面開口部は、吸込み口と吹出し口を備え、室内に露出する化粧パネルで閉成される。
【０００３】
室内機本体内部には、熱交換器と、送風機やドレンポンプおよび熱交換器に取付けられる温度センサ等の電気部品が収容される。上記熱交換器の下部側には、たとえば発泡スチロール材からなるドレンパンが配置され、熱交換器の熱交換作用にともなって生成されるドレン水を集溜するようになっている。
図６に示すように、従来、室内機を組立てる作業として、室内機本体ａを上下逆にして置き、熱交換器Ｈを所定位置に配置したあと、ドレンパンｂを筐体ｃに嵌め込む。すなわち、筐体ｃ内面とドレンパンｂ外面とが略同一寸法に形成されていて、ドレンパンは筐体内面に組み込まれる断熱材ｄの上端面に載る。
【０００４】
上記ドレンパンｂの外面には上下方向に沿って溝部ｅが設けられ、筐体ｃにドレンパンを嵌め込んだ状態で溝部ｅと筐体ｃとの間に空間スペースが形成される。このスペースに配線類ｆの中途部が挿通される。配線類ｆの一端部は電気部品箱に接続され、他端部は送風機等の電気部品に接続される。
【０００５】
【発明が解決しようとする課題】
ところで、熱交換器Ｈで熱交換した空気は、図に二点鎖線矢印で示すように熱交換器の外側へ吹出され、さらに吹出し口に導かれるようになっている。冷房運転時では、冷気が配線スペースである溝部ｅ側へ吹付けられ、その一部は溝部に侵入し、溝部に沿って流れる。
この影響で、配線スペースに面した筐体ｃ部位が低温化し、外面側では結露してしまう。筐体ｃ一部における結露であるが、時間の経過にともなって結露が肥大化し、やがては流下して不具合を及ぼす。
【０００６】
そこで、上記溝部ｅの入口側にスポンジ等のシール部材ｇを設けて開口を塞ぎ冷気の侵入を防止する一方で、筐体ｃ外面の溝部ｅと対応する部位に断熱材ｉを貼着して結露を防止していた。
このように電気部品箱と電気部品を接続する配線類ｆの中途部を収容するスペースを溝部ｅによって確保する一方で、溝部の入口側にシール部材ｇを設け、かつ筐体ｃ外面の一部を特定して断熱材ｉを貼着する必要があり、組立て工数および部品点数の増加を招き、製造コストに悪影響を与えている。
【０００７】
本発明は上記事情に着目してなされたものであり、その目的とするところは、結露する虞れが全くない配線スペースを確保して、信頼性の向上を図れるとともに、組立て工数および部品点数の低減を得られ、製造コストへの悪影響を除去した空気調和機の室内機を提供しようとするものである。
【０００８】
【課題を解決するための手段】
上記課題を解決し目的を達成するために、本発明の空気調和機の室内機は、金属薄板からなる筐体とこの内面の発泡合成樹脂材からなる断熱材とで室内機本体を構成し、この室内機本体を天井裏に取付け固定し、本体内部には熱交換器、送風機、熱交換器に取付けられる温度センサ等の電気部品を収容し、この電気部品と電気部品箱内の制御回路を配線類を介して接続し、熱交換器の下部側で断熱材の内側に発泡合成樹脂材からなるドレンパンを嵌め込み固定し、このドレンパンと断熱材との合わせ面に配線類を挿通する溝部を設けた。
【０００９】
このような課題を解決する手段を採用することにより、結露する虞れが全くない配線スペースを確保して、信頼性の向上を図れるとともに、組立て工数および部品点数の低減を得られ、製造コストへの悪影響を除去する。
さらに、上記溝部近傍の断熱材部位に、断熱材へのドレンパンの嵌め込み時に、配線類を仮止めするための仮止め用溝を設けた。
したがって、ドレンパンを断熱材に嵌め込む際に配線類の位置変動がなく、作業性が向上する。
【００１０】
【発明の実施の形態】
図１は本発明の一実施の形態に係る天井埋込型の空気調和機の室内機１０を下面側から示す斜視図、図２は室内機１０の概略の断面図である。
空気調和機の室内機１０は、被空調室Ｒの天井板５０に設けられた取付け用開口部５１を介して室内側から挿入され、吊りボルト等により、いわゆる天井裏に吊持固定される室内機本体２０と、この室内機本体２０の室内側に露出して取り付けられる化粧パネル１００とを備えている。
【００１１】
室内機本体２０は、下面開口部２１ａ全てが開口し、金属薄板を板金加工して天板部と側板部を組み合わせた筐体（以下、ハウジングと呼ぶ）２１を備えている。このハウジング２１の内面には、発泡スチロール材等の発泡合成樹脂材からなる断熱材２２が組み込まれ、断熱構造をなしている。
ハウジング２１内部の中央部に送風機２３が配置され、この送風機を囲むようにして平面視でＬ字状に形成された一対の熱交換器部からなる室内熱交換器２４が収容されている。なお、平面視で四角枠状に形成された室内熱交換器を用いる場合もある。
【００１２】
ハウジング２１の下面開口部２１ａは、化粧パネル１００によって閉成されている。この化粧パネル１００は室内に露出し、ハウジング２１周面と天井板５０の取付け用開口部５１との隙間を遮蔽する。
上記送風機２３は、ハウジング２１の天板部に適宜な手段で取付け固定されるファンモータ２３ａと、このファンモータの回転軸に取付けられるファン２３ｂとからなる。この送風機２３は、ファン２３ｂの回転に伴い回転軸方向から空気を吸込んで周方向に吹出す送風作用をなす。
【００１３】
室内熱交換器２４は、送風機２３の吹出し方向に位置している。熱交換器２４の下端部は、発泡スチロール材等の発泡合成樹脂材からなり平面視で変形四角枠状のドレンパン２５に挿入され、熱交換器で生成されるドレン水はドレンパンにて受けられ集溜する。
化粧パネル１００の吸込み口１１０と送風機ファン２３ｂとの間にはベルマウス２６が設けられ、その周囲はドレンパン２５に囲まれている。ベルマウス２６は、送風機ファン２３ｂ側が小径で、かつ、吸込み口１１０側が大径のテーパ状に形成されている。
【００１４】
さらに、ドレンパン２５の内側一部に電気部品箱２７が設けられている。この電気部品箱２７内には上記送風機２３およびドレンパン２５に配置されるドレンポンプ、フロートスイッチ、熱交換器に取着される温度センサ、電装膨張弁等の電気部品を制御するための制御回路２８が収容されている。
化粧パネル１００は、その中央大部分の面積を占める矩形状の吸込み口１１０が開口されていて、この吸込み口１１０はドレンパン２５の内側面とほぼ対向して設けられる。
【００１５】
上記化粧パネル１００の吸込み口１１０には、吸込グリル１１１が着脱自在に取付けられている。吸込グリル１１１は、吸込み口１１０における室内空気の流通を可能としながら、吸込み口からハウジング２１内部に対する遮蔽をなしている。
さらに、吸込み口１１０の各辺部に沿って吹出口１２０〜１２３が設けられている。これら吹出口１２０〜１２３は、幅方向に対して長手方向が極端に細長い矩形状をなし、４ヶ所設けられる。
【００１６】
各吹出口１２０〜１２３は、ドレンパン２５の外面とハウジング２１の内面に取付けられる断熱材２２との間の間隙に対向位置していて、それ自体が外方へ曲成される。
吹出口１２０〜１２３にはルーバー機構に連結されたルーバー１５０〜１５３がそれぞれ取付けられていて、化粧パネル１００周辺の広い範囲に吹出し案内するようになっている。
【００１７】
つぎに、上記電気部品箱２７内に収容される制御回路２８と、熱交換器２４に取付けられる温度センサ等の電気部品Ｄとを電気的に接続する配線類Ｓの処理構造について説明する。
図３は室内機本体２０の斜視図、図４は室内機本体２０の一部を拡大した斜視図、図５は室内機本体２０の一部断面図であり、いずれも実際の取付け状態とは上下を逆にして示している。
【００１８】
なお、図３においては室内機本体２０を構成するハウジング２１の天板部２１ｂを残して側板部を省略し、断熱材２２を露出させている。図４においても同様に天板部２１ｂを残して側板部を省略し、断熱材２２を露出させている。図５はハウジング２１の天板部２１ｂと側板部２１ｃを省略していない。
上記ドレンパン２５は、断熱材２２の内面に嵌め込まれている。すなわち、断熱材２２の内面形状寸法とドレンパン２５の外面形状寸法は、上記吹出し口１２０〜１２３との対向部分を除いて同一に設計されている。
【００１９】
断熱材２２内面にドレンパン２５を嵌め込み、かつ電気部品箱２７を取付けた状態で、ドレンパンの上端面と電気部品箱の上端面とは略同一高さになる。このドレンパン２５の上端面には、内面側縁と外面側縁とに亘って複数条の案内溝３０〜３２が設けられる。
第１の案内溝３０は電気部品箱２７の一端面近傍に設けられ、第２の案内溝３１は電気部品箱２７の側部に対向して設けられ、第３の案内溝３２は電気部品箱２７の他端面近傍に設けられる。第１、第３の案内溝３０，３２の幅寸法は狭く、第２の案内溝３１の幅寸法はこれらよりも大に形成される。
上記第１の案内溝３０に配線類Ｓの一部が嵌め込まれている。この配線類Ｓは、一端部が電気部品箱２７内の制御回路２８に接続され、他端部がたとえば熱交換器２４に取付けられる温度センサや電装膨張弁まで延出されて接続される。なお、図５にのみ、上記温度センサを電気部品Ｄとして示している。
【００２０】
上記第２の案内溝３１にはケーブル（配線類）Ｓａの一部が収容されている。このケーブルＳａは、一端部が電気部品箱２７内の制御回路２８に接続され、他端部が上記ドレンポンプに接続する排水ホースとともに室内機本体２０から延出され室外機に接続される。
上記第３の案内溝３２には配線類Ｓの一部が嵌め込まれている。この配線類Ｓは、一端部が電気部品箱２７内の制御回路２８に接続され、他端部がたとえばドレンポンプおよびフロートスイッチまで延出されて接続される。
【００２１】
各案内溝３０〜３１に収容される配線類Ｓ，Ｓａは、そのままでも位置規制されるが、好ましくはシール材で覆って、化粧パネル１００を室内機本体２０に取付ける際にそれぞれの位置を固定保持するとよい。
上記断熱材２２の内面で、かつ上記第１の案内溝３０および第３の案内溝３２と対向する部位には、その上端縁から中途部まで配線類Ｓを案内するための溝部３３が設けられる。
【００２２】
上記溝部３３の下端縁には、配線類Ｓを仮止めするための仮止め用溝３４が連設される。仮止め用溝３４は、断熱材２２の内面に一体に設けられる突部２２Ｔの上端縁から中途部まで設けられていて、溝部３３よりも幅寸法が小であり、かつ深く形成される。
第１の案内溝３０と第３の案内溝３２に収容される配線類Ｓは、上記溝部３３を挿通し、仮止め用溝３４に嵌め込まれる。そして、配線類Ｓは突部２２Ｔに沿って垂下されたあと、熱交換器２４に取付けられる温度センサ等の電気部品Ｄに接続される。
【００２３】
組立て順序として、実際の取付け状態とは上下を逆にした室内機本体２０内に送風機２３を取付け、熱交換器２４を配置するとともにドレンポンプ、温度センサ他の電気部品Ｄを取付ける。
つぎに、電気部品Ｄに配線類Ｓの一端部を接続し、この中途部を仮止め用溝３４に掛合し、さらに溝部３３に沿わせてから室内機本体２０外部に出す。そして、断熱材２２の内面側にドレンパン２５を嵌め込む。
【００２４】
具体的には、ドレンパン２５の挿入側端面が仮止め用溝３４を備えた突部２２Ｔの上端面に当接するまで挿入する。ドレンパン２５外周面には何らの加工も施されていないが、配線類Ｓが溝部３３に掛合しかつ本体２０外部に出ているので、配線類がドレンパン挿入の邪魔にならずにすみ円滑に作業できる。
しかも、各配線類Ｓは仮止め用溝３４に掛合されているので、ドレンパン２５を嵌め込む際に配線類Ｓの位置が変動することがなく、溝部３３から抜け出ず弛むこともないので、作業的に何らの問題もない。
【００２５】
つぎに、制御回路２８を収容した電気部品箱２７を所定の位置に取付け、この蓋部を開放して内部を露出する。先に室内機本体２０外部に垂下させた配線類Ｓを第１の案内溝３０もしくは第３の案内溝３２に沿わせ嵌め込んでから、これらの端部を制御回路２８の必要部位に接続する。
このように構成された天井埋込型の空気調和機の室内機１０において、送風機２３が駆動されることにより室内空気が吸込みグリル１１１と吸込み口１１０を介して室内機本体２０内に吸引され、熱交換器２４において熱交換がなされた後、吹出口１２０〜１２３から室内側に吹き出される。
【００２６】
ここでは、断熱材２２の内面にドレンパン２５の外面が嵌め込まれるうえに、断熱材とドレンパンの合わせ面である断熱材２２の内面に溝部３３を設けて配線類Ｓを挿通している。
したがって、熱交換器２４から吹出された冷気の一部が上記仮止め用溝３４を介して溝部３３空間に侵入したとしても、溝部周面は全て発泡スチロール材から形成されるので、溝部３３周面はもちろんのことハウジング２１外面に結露が生じることがない。
【００２７】
このように、室内機本体２０内に電気部品箱２７内の制御回路２８と電気部品Ｄを接続する配線類Ｓの挿通スペースを確保する一方で、このスペース内外での結露の発生を完全に阻止し、結露を防止するための別部品を不要として、部品数と組立て工数の低減を得られる。
なお、上述の実施の形態では断熱材２２の内面に配線類Ｓを収容する溝部３３を設けたが、これに限定されるものではなく、ドレンパン２５の外面側にのみ溝部を設けてもよく、あるいは断熱材２２とドレンパン２５の両方にそれぞれ対向する溝部を設けてもよい。
また、本発明は上述の実施の形態に限定されるものではなく、本発明の要旨を逸脱しない範囲で種々変形実施可能であるのは勿論である。
【００２８】
【発明の効果】
以上説明したように本発明によれば、結露する虞れが全くない配線スペースを確保して、信頼性の向上を図れるとともに、組立て工数および部品点数の低減を得られ、製造コストへの悪影響を除去するなどの効果を奏する。
【図面の簡単な説明】
【図１】本発明の一実施の形態に係る天井埋込型の空気調和機の室内機を下面側から示す斜視図。
【図２】同実施の形態の、室内機の概略の断面図。
【図３】同実施の形態の、室内機本体の斜視図。
【図４】同実施の形態の、室内機本体の一部を拡大した斜視図。
【図５】同実施の形態の、室内機本体の一部を拡大した断面図。
【図６】従来の、室内機本体の一部断面図。
【符号の説明】
２１…ハウジング（筐体）、
２２…断熱材、
２０…室内機本体、
２４…熱交換器、
２３…送風機、
Ｄ…電気部品、
Ｓ…配線類、
２８…制御回路、
２７…電気部品箱、
２５…ドレンパン、
３３…溝部、
３４…仮止め用溝。
【図１】
2004085003.tif 000003
【図２】
2004085003.tif 000004
【図３】
2004085003.tif 000005
【図４】
2004085003.tif 000006
【図５】
2004085003.tif 000007
【図６】
2004085003.tif 000008